(57)【要約】【課題】商品購入時において、その商品のアレルゲン情報を入手可能な商品販売管理システム、商品販売管理システムの制御方法およびプログラムを提供すること。【解決手段】商品の識別コードである商品コードと当該商品に含まれるアレルゲン物質に関するアレルゲン情報とを関連付けたデータベース２１と、購入商品から商品コードを取得する商品コード取得手段９１と、取得した商品コードに基づいてデータベース２１を参照することにより、購入商品に、アレルゲン情報が関連付けられた商品コードの商品であるアレルゲン対象商品が含まれるか否かを判別する判別手段９２と、アレルゲン対象商品が含まれると判定した場合、決済データ８１およびアレルゲン情報を含む印刷データを生成する印刷データ生成手段９３と、印刷データをレシートＲ上に印刷する印刷制御手段９４と、を備えた。【選択図】図１
2008027123.tif 000002
【特許請求の範囲】
【請求項１】
購入商品の商品名または商品コードと、商品価格とを含む決済データを、レシート上に印刷する商品販売管理システムであって、
商品の識別コードである商品コードと当該商品に含まれるアレルゲン物質に関するアレルゲン情報とを関連付けたデータベースと、
前記購入商品から商品コードを取得する商品コード取得手段と、
取得した商品コードに基づいて前記データベースを参照することにより、前記購入商品に、前記アレルゲン情報が関連付けられた前記商品コードの商品であるアレルゲン対象商品が含まれるか否かを判別する判別手段と、
前記アレルゲン対象商品が含まれると判定した場合、前記決済データおよび前記アレルゲン情報を含む印刷データを生成する印刷データ生成手段と、
前記印刷データを前記レシート上に印刷する印刷制御手段と、を備えたことを特徴とする商品販売管理システム。
【請求項２】
前記印刷データ生成手段は、前記アレルゲン情報として、前記購入商品がアレルゲン物質であることを報知する識別マークを当該購入商品の前記商品名または前記商品コードに付して印刷するための前記印刷データを生成することを特徴とする請求項１に記載の商品販売管理システム。
【請求項３】
前記印刷データ生成手段は、前記アレルゲン情報として、前記アレルゲン物質の品目名を印刷するための前記印刷データを生成することを特徴とする請求項１または２に記載の商品販売管理システム。
【請求項４】
前記印刷データ生成手段は、前記アレルゲン情報として、前記アレルゲン物質に関する詳細情報を掲載したＵＲＬを印刷するための前記印刷データを生成することを特徴とする請求項１ないし３のいずれか１項に記載の商品販売管理システム。
【請求項５】
前記印刷データ生成手段は、前記アレルゲン情報として、前記ＵＲＬをコード化したシンボル画像を印刷するための前記印刷データを生成することを特徴とする請求項４に記載の商品販売管理システム。
【請求項６】
前記印刷データ生成手段は、前記決済データと前記アレルゲン情報とを異なる表示態様で印刷するように、前記印刷データを生成することを特徴とする請求項１ないし５のいずれか１項に記載の商品販売管理システム。
【請求項７】
前記印刷データ生成手段は、前記決済データと前記アレルゲン情報とを印刷する印刷色データを変更することにより、前記異なる表示態様にすることを特徴とする請求項６に記載の商品販売管理システム。
【請求項８】
商品の識別コードである商品コードと当該商品に含まれるアレルゲン物質に関するアレルゲン情報とを関連付けたデータベースを有し、購入商品の商品名または商品コードと、商品価格とを含む決済データを、レシート上に印刷する商品販売管理システムの制御方法であって、
前記購入商品から商品コードを取得するステップと、
取得した商品コードに基づいて前記データベースを参照することにより、前記購入商品に、前記アレルゲン情報が関連付けられた前記商品コードの商品であるアレルゲン対象商品が含まれるか否かを判別するステップと、
前記アレルゲン対象商品が含まれると判定した場合、前記決済データおよび前記アレルゲン情報を含む印刷データを生成するステップと、
前記印刷データを前記レシート上に印刷するステップと、を備えたことを特徴とする商品販売管理システムの制御方法。
【請求項９】
コンピュータに、請求項８に記載の商品販売管理システムの制御方法における各ステップを実行させるためのプログラム。
【発明の詳細な説明】
【技術分野】
【０００１】
本発明は、購入商品の決済データをレシートに印刷する商品販売管理システム、商品販売管理システムの制御方法およびプログラムに関するものである。
【背景技術】
【０００２】
近年、特定の物質が原因でアレルギー症状を起こすケースが増加しており、中には死に至るケースも存在する。特に食べ物を原因とするアレルゲンについては、除去食が重要であり、アレルギー疾患を持っている人やその家族は、食品のパッケージに付されたラベルから原材料やアレルゲン物質の有無に関する情報を注意深く読みながら食品を選択しなければならなかった。このため、顧客に対してアレルゲン情報を確実に提供する方法が望まれている。このアレルゲン情報を提供する方法として、ラベルプリンタにより加工食品等の商品に貼って使用される商品ラベルに、値段、原材料、アレルゲン情報等を印刷し、顧客に対してアレルゲン情報を提供する方法が知られている。このラベルプリンタは、商品ファイル（商品の原材料、商品コード等）やアレルゲン情報のテーブルを記憶しており、入力された商品コードに基づいて、商品の原材料からこれに含まれるアレルゲン物質を特定し、これらをラベル用紙に印刷する（特許文献１参照）。
【特許文献１】特開２００２−３６１９４１号公報
【発明の開示】
【発明が解決しようとする課題】
【０００３】
しかし、上記のラベルプリンタで印刷されたラベルだけでは、顧客が商品購入中にアレルゲン情報を見落とす可能性があり、商品に含まれるアレルゲン情報を確実に提供することができなかった。また、スーパーマーケット等で加工・販売される惣菜や弁当には、パッケージにアレルゲン情報が記載されている例が少なく、顧客は安心してこれらを購入することができなかった。
【０００４】
本発明は、顧客に対し、商品のアレルゲン情報を確実に提供可能な商品販売管理システム、商品販売管理システムの制御方法およびプログラムを提供することをその課題としている。
【課題を解決するための手段】
【０００５】
本発明の商品販売管理システムは、購入商品の商品名または商品コードと、商品価格とを含む決済データを、レシート上に印刷する商品販売管理システムであって、商品の識別コードである商品コードと当該商品に含まれるアレルゲン物質に関するアレルゲン情報とを関連付けたデータベースと、購入商品から商品コードを取得する商品コード取得手段と、取得した商品コードに基づいてデータベースを参照することにより、購入商品に、アレルゲン情報が関連付けられた商品コードの商品であるアレルゲン対象商品が含まれるか否かを判別する判別手段と、アレルゲン対象商品が含まれると判定した場合、決済データおよびアレルゲン情報を含む印刷データを生成する印刷データ生成手段と、印刷データをレシート上に印刷する印刷制御手段と、を備えたことを特徴とする。
【０００６】
本発明の商品販売管理システムの制御方法は、商品の識別コードである商品コードと当該商品に含まれるアレルゲン物質に関するアレルゲン情報とを関連付けたデータベースを有し、購入商品の商品名または商品コードと、商品価格とを含む決済データを、レシート上に印刷する商品販売管理システムの制御方法であって、購入商品から商品コードを取得するステップと、取得した商品コードに基づいてデータベースを参照することにより、購入商品に、アレルゲン情報が関連付けられた商品コードの商品であるアレルゲン対象商品が含まれるか否かを判別するステップと、アレルゲン対象商品が含まれると判定した場合、決済データおよびアレルゲン情報を含む印刷データを生成するステップと、印刷データをレシート上に印刷するステップと、を備えたことを特徴とする。
【０００７】
これらの構成によれば、商品購入時において必ず発行されるレシートにアレルゲン情報が印刷されるので、顧客に対し、その商品のアレルゲン情報を確実に提供することができる。すなわち、顧客は、商品選択時にパッケージに付された原材料や含有されているアレルゲン物質の記載を見落としたり、アレルゲン情報が記載されていない商品を購入したりしても、商品購入時点で確認することができるため、安心して買い物することができる。
【０００８】
この場合、印刷データ生成手段は、アレルゲン情報として、購入商品がアレルゲン物質であることを報知する識別マークを当該購入商品の商品名または商品コードに付して印刷するための印刷データを生成することが、好ましい。
【０００９】
この構成によれば、簡易且つ明確に、購入商品にアレルゲン物質が含まれることを顧客に報知することができる。なお、「識別マーク」とは、商品名等の近傍に、例えば、星印等を付して、アレルゲン物質が含まれる商品であることを特定するものである。
【００１０】
この場合、印刷データ生成手段は、アレルゲン情報として、アレルゲン物質の品目名を印刷するための印刷データを生成することが、好ましい。
【００１１】
この構成によれば、顧客は購入商品に含まれているアレルゲン物質の品目名を知ることができる。なお、印刷制御手段は、アレルゲン物質の義務品目である５品目以外にも奨励品目である２０品目について品目名を印刷することが好ましい。
【００１２】
この場合、印刷データ生成手段は、アレルゲン情報として、アレルゲン物質に関する詳細情報を掲載したＵＲＬを印刷するための印刷データを生成することが、好ましい。
【００１３】
この構成によれば、顧客が商品購入後に当該商品のアレルゲンに関する詳細情報を知りたい場合に、該当する情報サイトを検索する手間を省くことができる。特に惣菜や弁当等のように、多数の食材を含むものはアレルゲン情報の詳細を明示することが困難であるが、ＵＲＬにアクセスすることで容易に且つ詳細な情報を入手することができる。なお、このＵＲＬは、一般的なアレルゲンに関する情報サイトや食品メーカーのサイトのＵＲＬでもよいし、販売店であるスーパーマーケットが管理する情報サイトのＵＲＬでもよい。
【００１４】
この場合、印刷データ生成手段は、アレルゲン情報として、ＵＲＬをコード化したシンボル画像を印刷するための印刷データを生成することが、好ましい。
【００１５】
この構成によれば、例えば、シンボル画像が２次元コードである場合には、携帯電話に２次元コードの読取機能があれば、顧客はその場で情報サイトにアクセスして、容易に購入商品のアレルゲン情報を閲覧することができる。
【００１６】
この場合、印刷データ生成手段は、決済データとアレルゲン情報とを異なる表示態様で印刷するように、印刷データを生成することが、好ましい。
【００１７】
この場合、印刷データ生成手段は、決済データとアレルゲン情報とを印刷する印刷色データを変更することにより、異なる表示態様にすることが、好ましい。
【００１８】
これらの構成によれば、顧客は決済データとアレルゲン情報とを容易に区別することができる。例えば、アレルゲン情報を太字や下線付きで印刷することで、決済データに比してアレルゲン情報を強調して表示することができる。さらに、人命に関わるアレルゲン物質については、レシートに赤字で印刷することにより、顧客に対して強く注意を喚起することができる。
【００１９】
本発明のプログラムは、コンピュータに、上記に記載の商品販売管理システムの制御方法における各ステップを実行させることを特徴とする。
【００２０】
これを利用することにより、顧客に対し、商品のアレルゲン情報を確実に提供可能な商品販売管理システムを実現することができる。
【発明を実施するための最良の形態】
【００２１】
以下、本発明の一実施形態に係る商品販売管理システム、商品販売管理システムの制御方法およびプログラムについて、添付図面を参照しながら詳細に説明する。本発明は、決済データが印刷されるレシートに、購入商品に含まれるアレルゲンに関するアレルゲン情報を付加して印刷するものである。
【００２２】
図１に示すように、本発明の商品販売管理システム１は、オペレータによって商品情報が入力され、精算金額を算出する複数のＰＯＳ端末３（図示では１つ）と、当該ＰＯＳ端末３とネットワークを介して接続されると共に当該ＰＯＳ端末３を管理するＰＯＳサーバ２とから構成されている。また、ＰＯＳ端末３は、レシートＲ上に印刷を行うための印刷データを生成するホスト装置４と、印刷データに基づいてレシートＲ上に印刷を行う印刷装置５と、を備え、互いにコネクタ（図示省略）を介して接続されている。
【００２３】
ＰＯＳサーバ２は、いわゆる一般的なコンピュータと同様であり、入力デバイス１１、ディスプレイ１２、通信インターフェース１３、入出力インターフェース１４、内部バス１５、ＣＰＵ１６(Central Processing Unit)、ＲＯＭ１７(Read Only Memory)、ＲＡＭ１８(Random Access Memory)およびＨＤＤ１９(Hard Disk Drive)を備え、ＨＤＤ１９には、商品マスタ２１（データベース）が記憶されている。
【００２４】
商品マスタ２１は、図２に示すように商品コードブロック２２、商品名ブロック２３、金額ブロック２４、在庫ブロック２５、アレルゲン情報ブロック２６から構成され、各ブロックの情報が商品ごとに関連付けられている。さらに、アレルゲン情報ブロック２６は、購入商品に含まれるアレルゲン物質の品目名が記憶されている品目名ブロック２７と、購入商品のアレルゲン物質に関する詳細情報が掲載された情報サイトのＵＲＬが記憶されたＵＲＬブロック２８と、を有している。品目名ブロック２７には、義務品目である５品目（本実施形態では、卵、小麦、大豆を例示）が記憶され、ＵＲＬブロック２８には、ピザについてはピザを製造している食品業者の情報サイトのＵＲＬ（http://www.aaaa.〜）、惣菜（大豆入りのひじき煮）については、販売店であるスーパーマーケット等が管理する情報サイトのＵＲＬ（http://www.bbbb.〜））が記憶される。
【００２５】
なお、図３に示すように、アレルゲン物質の品目名は、アレルゲン物質の義務品目である５品目以外にも奨励品目である２０品目について品目名を含む構成としてもよい。つまり、義務品目である卵、小麦、大豆以外にも奨励品目である豚肉やオレンジを品目名ブロック２７に記憶する構成としてもよい。
【００２６】
ＰＯＳサーバ２のＣＰＵ１６は、ＰＯＳ端末３より送信された入力情報に基づいて、商品マスタ２１から商品コード、商品名、アレルゲン情報等を抽出し、レシートＲへの決済情報およびアレルゲン情報の印刷およびＰＯＳ端末３のディスプレイ３２の表示に用いる商品データを生成する。なお、「商品データ」とは、レシートＲ上に決済処理の内容を印刷するための決済情報印刷データ８１（決済データ）やアレルゲン情報の内容を印刷するためのアレルゲン情報印刷データ８２の元となるものである。
【００２７】
一方、ＰＯＳ端末３は、ＰＯＳサーバ２内の商品マスタ２１を参照して商品データを取得し、印刷データを生成するホスト装置４と、当該印刷データに基づいてレシートＲ上に印刷を行う印刷装置５とを備えている。
【００２８】
ホスト装置４は、入力デバイス３１、ディスプレイ３２、ＨＤＤ３９、通信インターフェース３３、入出力インターフェース３４、内部バス３５、ＣＰＵ３６、ＲＯＭ３７およびＲＡＭ３８を備えている。特に入力デバイス３１として、キーボード、バーコードリーダを備え、キーボードによる入力またはバーコードによる読み取りによって、商品情報を取得し、商品名や売上金額等をディスプレイ３２に表示し、顧客に対して購入商品の金額等を提示する。また、ＨＤＤ３９には、印刷データを生成するＰＯＳアプリケーション４１を記憶している。
【００２９】
ＰＯＳアプリケーション４１は、ＰＯＳサーバ２から送信される商品データや入力情報に基づいて決済情報印刷データ８１およびアレルゲン情報印刷データ８２を生成するものである。アレルゲン情報印刷データ８２を生成する場合、商品データにアレルゲン物質が含まれるときは星形状の識別マーク７２および品目名表示データ７４を生成し、ＵＲＬが含まれるときは、これをコード化して２次元コードのシンボル画像７３を生成する。また、予め記憶しているトップロゴ７１やボトムロゴ等のグラフィックデータを読出し、決済情報印刷データ８１およびアレルゲン情報印刷データ８２に付加する（図５参照）。すなわち、図５に示すように、アレルゲン情報印刷データ８２は、識別マーク７２、品目名表示データ７４およびシンボル画像７３を含む。以下、決済情報印刷データ８１およびアレルゲン情報印刷データ８２に、グラフィックスデータを付加したものを併せて「印刷データ」と称する。なお、グラフィックスデータをＰＯＳサーバ２内で生成し（ＰＯＳサーバ２内で記憶しておき）、これをホスト装置４が取得して決済情報印刷データ８１およびアレルゲン情報印刷データ８２に付加するようにしてもよい。
【００３０】
図１に示すように印刷装置５は、ホスト装置４とデータの送受信を行うデータ送受信部５１と、レシート用紙の搬送を行う搬送部５４と、レシート用紙の搬送に同期してレシート用紙に印刷を行う印刷部５５と、レシート用紙の印刷済み部分を切断する切断部５６と、これらを駆動する駆動部５３と、各部と接続されるとともに、印刷装置５全体を制御する制御部５２と、を備え、レシートプリンタとして機能する。また、制御部５２は、入出力インターフェース６４、内部バス６５、ＣＰＵ６６、ＲＯＭ６７およびＲＡＭ６８を備えている。
【００３１】
ここで、図４を参照して、商品販売管理システム１の機能構成について説明する。
【００３２】
ホスト装置４は、商品コード取得手段９１、判別手段９２、印刷データ生成手段９３を備えている。商品コード取得手段９１は、購入商品からバーコードリーダ等の入力デバイス３１により商品コードを取得するものである。判別手段９２は、商品マスタ２１を参照し、購入商品にアレルゲン対象商品が含まれるか否かを判別するものである。印刷データ生成手段９３は、判別手段９２が購入商品にアレルゲン対象商品が含まれると判定した場合に、商品データに基づいて決済情報印刷データ８１およびアレルゲン情報印刷データ８２を生成し、さらにグラフィックスデータを付加して印刷データを生成するものである。
【００３３】
なお、商品コード取得手段９１、判別手段９２、印刷データ生成手段９３は、ＣＰＵ３６がＲＯＭ３７内の制御プログラムおよびＨＤＤ３９内のＰＯＳアプリケーション４１やその他のプログラムに従って各種データを演算し、さらに入力デバイス３１や通信インターフェース３３と協働して処理を実行することにより実現されるものである。
【００３４】
印刷装置５は、印刷制御手段９４を有している。印刷制御手段９４は、印刷データに基づいてレシートＲ上に印刷データを印刷するものである。なお、印刷制御手段９４は、制御部５２のＣＰＵ６６がＲＯＭ６７内の制御プログラムに従って各種データを演算して処理を実行することにより実現されるものである。
【００３５】
続いて、図５を参照して、印刷制御手段９４により印刷されたレシートＲについて説明する。例えば、顧客が豚肉、ピザ、野菜、惣菜（大豆入りのひじき煮）を購入した場合、印刷制御手段９４は、レシートＲの先端側から日付（２００６年５月１５日）、トップロゴ７１（○○マート）の順に印刷する。そして、トップロゴ７１の後端側には、商品名、金額、アレルゲン物質が含まれていることを示す識別マーク７２を幅方向に並べて印刷する。なお、惣菜にはいろいろな種類があると考えられるため、それを特定するための番号を付す。同図では、「惣菜０４」として印刷しているが、商品マスタ２１には、その実際の品名、例えば「大豆入りひじき煮」等が登録されている（図２、図３参照）。さらにその後端側に、合計金額やお釣り、アレルゲン物質の品目名表示データ７４、シンボル画像７３（ＵＲＬ）を印刷する。また、識別マーク７２の隣に、（１）、（２）等のように、番号を印刷する。そして、品目名表示データ７４については、識別マーク７２と番号に対応して「この商品は、小麦，卵を含有します。」、「この商品は、大豆を含有します。」のように規定のテキストデータに組み込んで印刷し、シンボル画像７３（ＵＲＬ）も同様に識別マーク７２と番号に対応させて印刷する。つまり、顧客はこの番号を追うことで、品目名やシンボル画像７３がいずれの購入商品に対する情報であるかを認識できるようになっている。
【００３６】
なお、「識別マーク７２」は、商品名等の横に付してアレルゲン物質が含まれる商品を特定するものであり、顧客にアレルゲン物質が含まれる食品であることを報知するものである。この識別マーク７２により、簡易且つ明確に、購入商品にアレルゲン物質が含まれることを顧客に報知することができる構成となっている。また、レシートＲにアレルゲン物質の品目名表示データ７４が印刷されるため、顧客は、どのようなアレルゲン物質が購入商品に含まれているかを知ることができる。
【００３７】
さらにまた、シンボル画像７３（ＵＲＬ）がレシートＲに印刷されることにより、このシンボル画像７３（ＵＲＬ）にアクセスすることで、顧客は、惣菜のように、多数の食材を含むものについても容易に且つ詳細な情報を入手することができる。また、携帯電話に２次元コードの読取機能があれば、顧客はその場で情報サイトにアクセスして、容易に購入商品のアレルゲンに関する詳細情報を閲覧することができる。なお、シンボル画像７３は、２次元コードに変えてバーコードでも良い。
【００３８】
なお、上記の構成では、ＵＲＬをコード化して印刷する例としたが、コード化しないで印刷する構成としてもよい。これにより、例えば、携帯電話に２次元コードの読取機能がない顧客に対しても、ＵＲＬを通知することができ、アレルゲンに関する詳細情報が掲載された情報サイトを検索させる手間を省くことができる。さらに、ＵＲＬと共にシンボル画像７３を印刷する構成としてもよい。
【００３９】
また、図６に示すように決済情報印刷データ８１とアレルゲン情報印刷データ８２とを異なる表示態様で生成することも可能である。この場合、アレルゲン情報印刷データ８２を下線付きで生成することで決済情報印刷データ８１に比して強調して表示することができる。なお、印刷装置５がカラーでレシートＲを発行できる場合には、決済情報印刷データ８１とアレルゲン情報印刷データ８２との印刷色変更データを変更する。すなわち、人命に関わるアレルゲン物質については、レシートＲに赤字で印刷するようにアレルゲン情報印刷データ８２を生成する。これにより、顧客に対して強く注意を喚起することができる
【００４０】
続いて、商品販売管理システム１によるレシート発行処理について図７を参照しながら具体的に説明する。まずホスト装置４の入力デバイス３１が商品情報を読取り、当該商品の商品コードを取得する（Ｓ０１）。ホスト装置４は、ＰＯＳサーバ２に記憶されている商品マスタ２１を参照し（Ｓ０２）、取得した商品コードに該当する商品データ（商品名、金額、アレルゲン情報等）を取得する。そして、取得した商品データにアレルゲン情報が含まれるか否かを判別し（Ｓ０３）、アレルゲン情報が含まれないと判定した場合は（Ｓ０３：Ｎｏ）、ＰＯＳアプリケーション４１により決済情報印刷データ８１（印刷データ）を生成する（Ｓ０４）。ホスト装置４は、生成した印刷データを印刷装置５に送信し、印刷装置５は、受信した印刷データをレシート用紙に印刷する（Ｓ０５）。
【００４１】
一方、ホスト装置４が商品データにアレルゲン情報が含まれると判定した場合（Ｓ０３：Ｙｅｓ）、さらにアレルゲン情報にＵＲＬが含まれるか否かを判別する（Ｓ０６）。そして、ＵＲＬが含まれないと判定した場合（Ｓ０６：Ｎｏ）、ＰＯＳアプリケーション４１により決済情報印刷データ８１およびアレルゲン情報印刷データ８２（識別マーク７２、品目名表示データ７４）から成る印刷データを生成する（Ｓ０７）。ホスト装置４は、生成した印刷データを印刷装置５に送信し、印刷装置５が、受信した印刷データをレシート用紙に印刷する（Ｓ０８）。
【００４２】
また、ホスト装置４がアレルゲン情報にＵＲＬが含まれると判定した場合（Ｓ０６：Ｙｅｓ）、ＰＯＳアプリケーション４１により決済情報印刷データ８１およびアレルゲン情報印刷データ８２（識別マーク７２、品目名表示データ７４、シンボル画像７３）から成る印刷データを生成する（Ｓ０９）。ホスト装置４は、生成した印刷データを印刷装置５に送信し、印刷装置５が、受信した印刷データをレシート用紙に印刷する（Ｓ１０）。
【００４３】
このように、本実施形態に係る商品販売管理システム１では、商品購入時において必ず発行されるレシートＲにアレルゲン情報が印刷されるので、顧客は確実に、その商品のアレルゲン情報を入手することができる。すなわち、顧客は、商品選択時にパッケージに付された原材料や含有されているアレルゲン物質の記載を見落としたり、アレルゲン情報が記載されていない商品を購入したりしても、商品購入時点で確認することができるため、安心して買い物することができる。
【００４４】
なお、上記の例に示した、商品販売管理システム１の各部（各機能）をプログラムとして提供することが可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、光磁気ディスク、デジタルバーサタイルディスクおよびフレキシブルディスク等を利用することができる。
【００４５】
また、上記の例では、ＰＯＳサーバ、ＰＯＳ端末および印刷装置によって、商品販売管理システム１を構成するものとしたが、商品マスタをＰＯＳ端末内に備え、ＰＯＳ端末および印刷装置によって、商品販売管理システム１を構成するようにしても良い。また、商品マスタおよびＰＯＳ端末の各手段を印刷装置に備え、印刷装置単体で、商品販売管理システム１を構成するようにしても良い。
【００４６】
その他、上記に示した実施例によらず、商品販売管理システム１の装置構成や処理工程、レシートの印刷内容等について、本発明の要旨を逸脱しない範囲で、適宜変更も可能である。
【図面の簡単な説明】
【００４７】
【図１】商品販売管理システムの制御ブロック図である。
【図２】商品マスタの一例を示す図である。
【図３】奨励品目をアレルゲン情報に含めた場合の商品マスタの一例を示す図である。
【図４】商品販売管理システムの機能ブロック図である。
【図５】発行されたレシートの一例を示す図である。
【図６】発行されたレシートの表示態様を変化させた場合の一例を示す図である。
【図７】商品販売管理システム１によるレシート発行処理のフローチャートである。
【符号の説明】
【００４８】
１・・・商品販売管理システム  ２１・・・商品マスタ（データベース）  ７２・・・識別マーク  ７３・・・２次元コード画像  ７４・・・品目名表示データ  ８１・・・決済情報印刷データ（決済データ）  ８２・・・アレルゲン情報印刷データ（アレルゲン情報）  ９１・・・商品コード取得手段  ９２・・・判別手段  ９３・・・印刷データ生成手段  ９４・・・印刷制御手段
【図１】
2008027123.tif 000003
【図２】
2008027123.tif 000004
【図３】
2008027123.tif 000005
【図４】
2008027123.tif 000006
【図５】
2008027123.tif 000007
【図６】
2008027123.tif 000008
【図７】
2008027123.tif 000009